【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
フラップを有する一体構造のシリコーン体と、
前記フラップの対応する部分に接触するように構成された部分を有する剛性の底側プレートと、
前記フラップと前記剛性の底側プレートとの間に配置された近位端を有するチューブであって、前記フラップの前記対応する部分は、前記チューブから受け取られた房水の圧力に応答して前記剛性の底側プレートの前記部分から分離するように構成されている、チューブと
を備える眼内排出装置。
【請求項２】
前記チューブは、患者の眼の前房内に配置されるように構成された遠位端を備え、前記チューブは、前記近位端と前記遠位端との間の位置において、前記患者の前記眼の強膜の一部を通って延伸するように構成されている、請求項１に記載の眼内排出装置。
【請求項３】
前記フラップの追加の部分と前記剛性の底側プレートの追加の対応する部分との間に配置されたチャンバを更に備える、請求項１に記載の眼内排出装置。
【請求項４】
前記チューブの管腔は、前記近位端において前記チャンバに流体的に結合されている、請求項３に記載の眼内排出装置。
【請求項５】
前記剛性の底側プレートは、前記チャンバに隣接する第１のチャネルを備える、請求項４に記載の眼内排出装置。
【請求項６】
前記フラップは、前記チューブの一部を受け取るように構成された凹部を備える、請求項５に記載の眼内排出装置。
【請求項７】
前記フラップの前記追加の対応する部分は、前記チャンバの一部を画定し、前記剛性の底側プレートに接触する前記フラップの前記部分と前記凹部との間に配置されている、請求項６に記載の眼内排出装置。
【請求項８】
剛性の上側プレートを更に備える、請求項７に記載の眼内排出装置。
【請求項９】
前記チューブは、Ｄ字形状の断面プロファイルを有する、請求項１に記載の眼内排出装置。
【請求項１０】
剛性の上側プレートを更に備え、前記剛性の底側プレートは、前記一体構造のシリコーン体の底側表面における開口内に密封に配置され、前記剛性の上側プレートは、前記一体構造のシリコーン体の上側表面における開口内に密封に配置されている、請求項１に記載の眼内排出装置。
【請求項１１】
前記剛性の上側プレート及び前記剛性の底側プレートは、前記フラップにおける１つ以上の対応する開口を介して１つ以上の位置において係合している、請求項１０に記載の眼内排出装置。
【請求項１２】
前記一体構造のシリコーン体の外側表面の少なくとも一部において複数の平行な微小溝を更に備える、請求項１に記載の眼内排出装置。
【請求項１３】
前記剛性の底側プレートにおいて複数の微小溝を更に備える、請求項１２に記載の眼内排出装置。
【請求項１４】
前記一体構造のシリコーン体における開口に配置された剛性の上側プレートと、
前記剛性の上側プレートにおける複数の微小溝と
を更に備える、請求項１３に記載の眼内排出装置。
【請求項１５】
前記複数の平行な微小溝は、前記一体構造のシリコーン体の上側表面、底側表面、及び側壁表面において形成された平行な微小溝を含む、請求項１４に記載の眼内排出装置。
【請求項１６】
チャネルを有する本体と、
前記本体内に配置されたフラップと、
前記フラップの対応する部分に接触するように構成された部分を有する剛性の底側プレートと、
チューブと
を備える眼内排出装置であって、
前記チューブは、前記チューブの近位端が前記フラップと前記剛性の底側プレートとの間に配置されるように、且つ前記チャネルが前記チューブから前記フラップに隣接して形成されたチャンバに流体を案内するように構成されるように前記本体に接合され、
前記フラップの前記対応する部分は、前記チャンバにおける前記流体の圧力に応答して前記剛性の底側プレートの前記部分から分離するように構成されている、眼内排出装置。
【請求項１７】
本体と、
流体が流体の流れ方向に前記本体を通って流れることを可能にするように動作可能である前記本体内の流れ制御装置と、
前記本体の外側表面において形成された複数の微小溝であって、平行な列で配置され、前記本体の前端から後端に前記流体の流れ方向に実質的に平行に延伸する複数の微小溝と、
前記本体における開口内に配置された剛性の上側プレートであって、前記剛性の上側プレートは、中央部分と、前記中央部分の両側に配置された一対の棚部材とを備え、前記剛性の上側プレートは、前記本体の前記外側表面における前記複数の微小溝に平行な追加の複数の微小溝を有する上側表面を含み、前記剛性の上側プレートは、前記一対の棚部材と前記上側表面との間に配置された段部を備え、前記本体は、前記剛性の上側プレートにおける前記段部に適合する段部を含む可撓性の本体である、剛性の上側プレートと
を備える眼内排出装置。
【請求項１８】
前記複数の微小溝は、前記本体の上側表面における微小溝の平行な列を含む、請求項１７に記載の眼内排出装置。
【請求項１９】
前記複数の微小溝は、前記本体の底側表面における微小溝の平行な列を更に含む、請求項１８に記載の眼内排出装置。
【請求項２０】
前記複数の微小溝は、前記本体の側壁表面における微小溝の平行な列を更に含む、請求項１９に記載の眼内排出装置。
【請求項２１】
前記本体の前記側壁表面における前記微小溝の平行な列は、前記本体の周囲の少なくとも一部の周りに延伸する周方向微小溝を含む、請求項２０に記載の眼内排出装置。
【請求項２２】
前記本体は、可撓性の本体を備え、前記流れ制御装置は、部分的に前記可撓性の本体のフラップ部分によって形成された弁を備え、前記眼内排出装置は、
前記可撓性の本体における各開口にそれぞれ配置された剛性の上側プレート及び剛性の底側プレートと、
前記剛性の上側プレート及び前記剛性の底側プレートの各々において前記流体の流れ方向に実質的に平行に延伸する複数の微小溝と
を更に備える、請求項２１に記載の眼内排出装置。
【請求項２３】
前記可撓性の本体は、上側表面と、前記流れ制御装置の一部を形成するフラップとを備え、前記上側表面は、対向するローブに接する開口を有する、請求項１７に記載の眼内排出装置。
【請求項２４】
前記複数の微小溝は、前記対向するローブの少なくとも１つにおいて微小溝の平行な列を含む、請求項２３に記載の眼内排出装置。
【請求項２５】
眼内排出装置であって、
フラップ及び上側表面を有する可撓性の本体であって、前記上側表面は、対向するローブに接する開口を有する、可撓性の本体と、
前記フラップの対応する部分に接触するように構成された部分を有する剛性の底側プレートと、
前記可撓性の本体の前記上側表面における前記開口に配置された剛性の上側プレートであって、前記開口における前記剛性の上側プレートの上側表面の一部は、前記装置の上側表面の一部を形成し、前記対向するローブはそれぞれ、前記剛性の上側プレートの前記上側表面の別の部分を支える、剛性の上側プレートと、
前記可撓性の本体の外側表面における複数の微小溝と、
前記フラップと前記剛性の底側プレートとの間に配置された近位端を有するチューブであって、前記フラップの前記対応する部分は、流体が流体の流れ方向に前記可撓性の本体を通って流れることを可能にために、前記チューブから受け取られた房水の圧力に応答して前記剛性の底側プレートの前記部分から分離するように構成され、前記複数の微小溝は、前記流体の流れ方向に平行な方向に延伸する、チューブと
を備える眼内排出装置。
【請求項２６】
前記複数の微小溝の少なくとも一部は、前記対向するローブの各々において形成されている、請求項２５に記載の眼内排出装置。
【請求項２７】
前記複数の微小溝の少なくとも一部は、前記開口における前記剛性の上側プレートの前記上側表面の前記一部において形成されている、請求項２６に記載の眼内排出装置。
【請求項２８】
前記対向するローブの各々における複数の微小溝は、前記開口における前記剛性の上側プレートの前記上側表面の前記一部における複数の微小溝に平行である、請求項２７に記載の眼内排出装置。
【請求項２９】
前記剛性の底側プレートの外側表面において複数の微小溝を更に備える、請求項２５に記載の眼内排出装置。